(57)【要約】  表示装置（１）は、湾曲形状に形成された板状のシャーシ（２０）と、シャーシ（２０）の湾曲形状に沿って湾曲させてシャーシ（２０）に取り付けられた表示パネル（１０）と、表示パネル（１０）の端部に当接し、表示パネル（１０）を保持する保持部材（３０）とを備え、保持部材（３０）は、摺動可能にシャーシ（２０）に取り付けられている。
2015087518.tif 000002
【特許請求の範囲】
【請求項１】
湾曲形状に形成された板状のシャーシと、
前記シャーシの湾曲形状に沿って湾曲させて前記シャーシに取り付けられた表示パネルと、
前記表示パネルの端部に当接し、前記表示パネルを保持する保持部材とを備え、
前記保持部材は、摺動可能に前記シャーシに取り付けられている
表示装置。
【請求項２】
前記保持部材と前記シャーシとは、締結部材によって固定されており、
前記保持部材は、前記締結部材を緩めることで摺動可能となる
請求項１に記載の表示装置。
【請求項３】
前記保持部材は、前記シャーシに取り付けられる取付部と、前記表示パネルの端部に当接する当接部とを有し、
前記取付部は、前記シャーシの前記表示パネルが取り付けられる面とは反対側の面に接触し、
前記当接部は、前記取付部から立設している
請求項２に記載の表示装置。
【請求項４】
前記締結部材は、ネジであり、
前記取付部には、前記ネジの軸が挿通される挿通孔が設けられており、
前記シャーシには、前記保持部材を挿通した前記ネジの軸が挿入されるネジ穴が設けられている
請求項３に記載の表示装置。
【請求項５】
前記保持部材は、複数の前記ネジによって前記シャーシに取り付けられており、
前記取付部には、前記挿通孔が複数設けられており、
前記シャーシには、複数の前記挿通孔の各々に対応する前記ネジ穴が複数設けられている
請求項４に記載の表示装置。
【請求項６】
前記挿通孔は、前記保持部材の摺動方向が相対的に長い長穴である
請求項４又は５に記載の表示装置。
【請求項７】
前記取付部には、前記ネジのネジ頭の高さよりも高い突出部が設けられている
請求項４〜６のいずれか１項に記載の表示装置。
【発明の詳細な説明】
【技術分野】
【０００１】
本開示は、表示装置に関する。
【背景技術】
【０００２】
表示装置は、例えば、有機ＥＬ（Ｅｌｅｃｔｒｏ  Ｌｕｍｉｎｅｓｃｅｎｃｅ）表示パネル又は液晶表示パネル等の薄型の表示パネルを備える。この種の表示装置として、湾曲した表示パネルを備える湾曲ディスプレイも提案されている（例えば特許文献１）。近年、テレビ用の湾曲ディスプレイとして、大画面の表示パネルを湾曲させた構造の表示装置も開発されている。【０００３】
表示パネルは、ガラス基板を薄くすることでパネルの厚みを薄くしたり、フレキシブル基板を用いたりすることによって湾曲させることができる。つまり、曲げ応力を加えることによってフラットな表示パネルを湾曲させることで、湾曲した表示パネルを得ることができる。この場合、表示パネルは、例えば、予め湾曲形状に形成された板状のシャーシ（補強部材）に取り付けることで湾曲状態を維持させることができる。
【先行技術文献】
【特許文献】
【０００４】
【特許文献１】特開２００３−２８０５４８号公報
【発明の概要】
【発明が解決しようとする課題】
【０００５】
表示パネルを湾曲形状のシャーシに取り付ける際、表示パネルを湾曲させてシャーシに保持させることは容易ではない。【０００６】
例えば、湾曲形状の板状のシャーシの対向する２辺の端部に固定された断面Ｌ字形状の保持部材によって湾曲状の表示パネルを挟むように保持する構造が考えられるが、この場合、シャーシの湾曲形状に沿って表示パネルを湾曲させてシャーシに取り付ける際に、表示パネルの端部が保持部材に衝突（干渉）することがある。【０００７】
本開示は、このような課題に鑑みてなされたものであり、表示パネルを湾曲形状のシャーシに容易に取り付けることができる表示装置を提供することを目的とする。
【課題を解決するための手段】
【０００８】
上記課題を解決するために、本開示の表示装置の一態様は、湾曲形状に形成された板状のシャーシと、前記シャーシの湾曲形状に沿って湾曲させて前記シャーシに取り付けられた表示パネルと、前記表示パネルの端部に当接し、前記表示パネルを保持する保持部材とを備え、前記保持部材は、摺動可能に前記シャーシに取り付けられていることを特徴とする。
【発明の効果】
【０００９】
本開示の表示装置によれば、表示パネルを保持する保持部材が、摺動可能にシャーシに取り付けられている。これにより、表示パネルを湾曲させて湾曲形状のシャーシに取り付ける際、保持部材を摺動させることで、保持部材と表示パネルとの衝突を回避することができる。したがって、表示パネルを湾曲形状のシャーシに容易に取り付けることができる。
【図面の簡単な説明】
【００１０】
【図１】図１は、実施の形態に係る表示装置の外観斜視図である。
【図２】図２は、実施の形態に係る表示装置における表示パネル及びシャーシの概略構成を示す分解斜視図である。
【図３】図３は、実施の形態に係る表示装置の組み立て方法の一例を説明するための断面図である。
【図４】図４は、実施の形態に係る表示装置の組み立て方法の一例を説明するための部分拡大図（第１保持部材周辺の拡大図）である。
【図５】図５は、実施の形態に係る表示装置の組み立て方法の一例を説明するための部分拡大図（第２保持部材周辺の拡大図）である。
【発明を実施するための形態】
【００１１】
以下、本開示の実施の形態について、図面を参照しながら説明する。なお、以下に説明する実施の形態は、いずれも本開示の好ましい一具体例を示すものである。したがって、以下の実施の形態で示される、数値、形状、材料、構成要素、構成要素の配置位置及び接続形態、並びに、ステップ（工程）及びステップの順序等は、一例であって本開示の内容を限定する主旨ではない。よって、以下の実施の形態における構成要素のうち、最上位概念を示す独立請求項に記載されていない構成要素については、任意の構成要素として説明される。
【００１２】
なお、各図は、模式図であり、必ずしも厳密に図示されたものではない。また、各図において、実質的に同一の構成に対しては同一の符号を付しており、重複する説明は省略又は簡略化する。
【００１３】
（実施の形態）
まず、実施の形態に係る表示装置１の概略構成について、図１及び図２を用いて説明する。図１は、実施の形態に係る表示装置１の外観斜視図である。図２は、実施の形態に係る表示装置１における表示パネル１０及びシャーシ２０の概略構成を示す分解斜視図である。なお、図２における各部材は、模式的に図示されている。
【００１４】
図１及び図２に示すように、本実施の形態における表示装置１は、画像を表示するための表示パネル１０と、表示パネル１０が取り付けられるシャーシ２０と、表示パネル１０を保持する保持部材３０（図１では不図示）と、保持部材３０をシャーシ２０に取り付けるためのネジ４０（図１では不図示）とを備える。
【００１５】
表示パネル１０は、例えば有機ＥＬ表示パネルである。なお、表示パネル１０は、有機ＥＬ表示パネルに限定されるものではなく、無機ＥＬ表示パネル、液晶表示パネル、又は、プラズマディスプレイパネル等、その他のフラットパネルディスプレイパネルであってもよい。
【００１６】
表示パネル１０は、矩形状のパネルであり、例えば、縦の長さが５００ｍｍ〜８００ｍｍで、横の長さが８００ｍｍ〜１４００ｍｍである。また、表示パネル１０の厚みは、例えば１ｍｍ〜３ｍｍ程度である。
【００１７】
図２に示すように、表示パネル１０は、シャーシ２０の湾曲形状に沿って湾曲させられてシャーシ２０に取り付けられる。具体的には、表示パネル１０に曲げ応力を付与することによって表示パネル１０をシャーシ２０の湾曲形状に合うように湾曲させる。これにより、表示パネル１０は、湾曲した状態で、シャーシ２０の前面（凹面）に取り付けられる。
【００１８】
本実施の形態において、表示パネル１０は一軸方向のみに湾曲させており、一例として、表示パネル１０のフラット時（湾曲させる前）の長手方向が湾曲するように構成されている。
【００１９】
本実施の形態では、縦の長さが７００ｍｍで、横の長さが１２００ｍｍである表示パネル１０を用いており、湾曲させたときの表示パネル１０の曲率半径Ｒは、一例として、Ｒ＝１５００ｍｍである。
【００２０】
また、表示パネル１０は、１つの湾曲面に異なる曲率半径が存在していてもよい。例えば、中央部の曲率半径と左右周辺部の曲率半径とを異ならせてもよい。この場合、左右周辺部は、中央部よりも曲率半径を大きくする方がよく、平面であってもよい。一例として、左右周辺部の曲率半径をＲ＝１００００ｍｍ以上、中央部の曲率半径をＲ＝５０００ｍｍ以下（例えば１５００ｍｍ）とすることができる。
【００２１】
なお、表示パネル１０の詳細な構成については後述する。
【００２２】
シャーシ２０は、表示パネル１０が取り付けられる取付板である。本実施の形態において、シャーシ２０は、湾曲形状に形成された板状の部材であって、表示パネル１０の湾曲状態を維持させるための補強板である。シャーシ２０は、金属製の剛体であり、例えばアルミニウム合金や鉄合金等からなる矩形状の板部材（金属板）を用いて所定の曲率半径を有する湾曲形状となるように加工される。シャーシ２０としては、例えば、板厚が１ｍｍ程度のアルミニウム板を用いることができる。
【００２３】
本実施の形態において、シャーシ２０は、一軸方向のみに湾曲するように形成されており、例えば、矩形状の金属平板をその長手方向が湾曲するように加工することで作製することができる。
【００２４】
なお、シャーシ２０の機械的強度を向上させるために、シャーシ２０に絞り加工を施して凹凸を形成してもよい。また、図示しないが、シャーシ２０の背面には、表示パネル１０にフレキシブルケーブルを介して接続された複数の駆動回路基板や電源回路基板が取り付けられる。
【００２５】
図２に示すように、保持部材３０は、シャーシ２０の湾曲方向の端部に取り付けられている。具体的には、保持部材３０は、シャーシ２０の短辺の端部に取り付けられている。なお、本実施の形態において、シャーシ２０（表示パネル１０）の湾曲方向とは、シャーシ２０（表示パネル１０）の湾曲面の長手方向に沿った方向である。
【００２６】
後述するように、保持部材３０は、表示パネル１０の端部に当接することで表示パネル１０を保持する機能を有するとともに、表示パネル１０の位置決めを行う機能を有する。
【００２７】
また、保持部材３０は、摺動可能にシャーシ２０に取り付けられている。本実施の形態において、保持部材３０とシャーシ２０とは、締結部材の一例であるネジ（おねじ）４０によって固定されており、ネジ４０を緩めることで保持部材３０は摺動可能となる。具体的には、保持部材３０は、湾曲方向に沿って直線的に摺動する。つまり、保持部材３０は直線的に一定の範囲内を可動するように構成されており、保持部材３０には所定の可動領域が設定されている。
【００２８】
このように、本実施の形態における表示装置１では、ネジ４０を締め付ける方向に回転させることによって、保持部材３０は、シャーシ２０に対して非可動状態となってシャーシ２０に固定される。このとき、保持部材３０は、シャーシ２０とネジ４０のネジ頭とで挟持されることで固定される。
【００２９】
一方、ネジ４０を緩める方向に回転させることによって、保持部材３０は、可動状態となってシャーシ２０の表面に沿って移動できる。つまり、ネジ４０を緩めることで保持部材３０の表面とネジ４０のネジ頭との間に隙間が生じて、保持部材３０はネジ４０による締め付けから解放される。なお、後述するように、保持部材３０は、ネジ４０が挿通される保持部材３０の挿通孔の開口範囲内で動かすことが可能となる。
【００３０】
なお、ネジ４０を緩めるときでもネジ４０はシャーシ２０から完全に外さないので、保持部材３０は、可動状態の場合であっても、ネジ４０によってシャーシ２０に取り付けられたままの状態となっている。
【００３１】
また、本実施の形態における保持部材３０は、シャーシ２０の両短辺の中央部に取付けられる２つの第１保持部材３１と、シャーシ２０の４つの角部に取付けられる４つの第２保持部材３２とによって構成されている。第１保持部材３１及び第２保持部材３２の詳細な構成については後述する。
【００３２】
図１に戻り、表示装置１は、さらに、表示パネル１０の表示側面の周縁を覆うベゼル５０と、表示パネル１０及びシャーシ２０を覆うバックカバー（背面筐体）６０とを備える。
【００３３】
ベゼル５０及びバックカバー６０は、例えば、樹脂による一体成形によって形成したり、金属板をプレス加工等して形成したり、複数枚の金属板を溶接等で接合して形成したりして作製することができる。
【００３４】
このように構成される表示装置１は、例えば、受信した放送波等から得られる映像信号及び音声信号を出力するテレビ受信機である。
【００３５】
次に、本実施の形態に係る表示装置１の組み立て方法について、図３〜図４を用いて説明する。図３は、本実施の形態に係る表示装置１の組み立て方法の一例を説明するための断面図であり、シャーシ２０を基準にフラットな表示パネル１０を沿わせて組込む方法を示す図である。図４は、同組み立て方法を説明するための部分拡大図（第１保持部材３１周辺の拡大図）であり、図５は、同組み立て方法を説明するための部分拡大図（第２保持部材３２周辺の拡大図）である。
【００３６】
図３（ａ）に示すように、本実施の形態では、矩形状のフラットな表示パネル１０と、保持部材３０が取り付けられた予め湾曲形状に成形されたシャーシ２０とを用いている。なお、図３では、第１保持部材３１のみを図示しており、第２保持部材３２については図示していない。
【００３７】
表示パネル１０をシャーシ２０に取り付ける際、まず、図３（ｂ）に示すように、表示パネル１０の長手方向の一方の端部（図の右側の端部）を、シャーシ２０の長手方向の一方の端部と保持部材３０（第１保持部材３１）とで構成される角部に押し当てる。このとき、ネジ４０は締め付けられており、左右一対の保持部材３０（第１保持部材３１）はシャーシ２０に固定されている。
【００３８】
続けて、図３（ｃ）に示すように、表示パネル１０の形状がシャーシ２０の湾曲形状に追従するように、表示パネル１０に曲げ応力を付与する。つまり、表示パネル１０の長手方向の他方の端部（図の左側の端部）がシャーシ２０に近づくように、表示パネル１０をシャーシ２０の内面に向けて押し込んでいく。これにより、表示パネル１０がシャーシ２０の内面形状に追従して湾曲変形する。
【００３９】
なお、このとき、強い力で短時間で表示パネル１０を押しつけると、表示パネル１０が割れてしまうこともある。このため、表示パネル１０は徐々に押し込んでゆっくりと湾曲させていくとよい。
【００４０】
次に、湾曲した表示パネル１０を保持部材３０で保持させるが、このときに、保持部材３０がシャーシ２０に非可動で固定されていると、表示パネル１０の長手方向の他方の端部（図の左側の端部）が保持部材３０に衝突（干渉）してしまい、表示パネル１０が欠けたり割れたりする場合がある。
【００４１】
特に、図３で説明したように、フラットな表示パネル１０に曲げ応力を付加してシャーシ２０の湾曲形状に追従させるような場合、湾曲させた表示パネル１０には復元力が存在することから、湾曲させた表示パネル１０の曲率半径と湾曲形状のシャーシ２０の曲率半径とが一致しなくなる。具体的には、表示パネル１０の曲率半径がシャーシ２０の曲率半径よりも大きくなってしまう。この結果、表示パネル１０と保持部材３０との衝突が生じやすくなる。
【００４２】
一方、表示パネル１０と保持部材３０との衝突を回避するために保持部材３０をシャーシ２０の外方向に予め大きくずらした状態で固定すると、表示パネル１０をシャーシ２０に押し込んだときに、表示パネル１０と保持部材３０との間に隙間が生じてしまう。この結果、保持部材３０が表示パネル１０に当接しなくなるので、保持部材３０で表示パネル１０を保持できなくなってしまう。
【００４３】
そこで、本実施の形態における表示装置１では、保持部材３０を摺動可能にシャーシ２０に取り付けている。つまり、シャーシ２０に対して保持部材３０に可動領域を持たせている。
【００４４】
以下、本実施の形態における表示装置１の組み立て方法と、保持部材３０（第１保持部材３１、第２保持部材３２）の詳細な構成及び作用とについて、図４及び図５を用いて詳細に説明する。また、表示パネル１０及びシャーシ２０の詳細な構成についても説明する。なお、図４は、図３の破線で囲まれる領域Ａの拡大図である。また、図４及び図５において、ネジ４０は一部破線で示している。
【００４５】
まず、表示パネル１０、シャーシ２０及び保持部材３０の詳細な構成について説明する。
【００４６】
図４の（ａ１）及び（ｂ１）に示すように、表示パネル１０は、対向する２枚のガラス基板１１及び１２を有する。表示パネル１０が有機ＥＬ表示パネルである場合、ガラス基板１１とガラス基板１２との間には、有機ＥＬ層（発光層）、電極、トランジスタ及び信号線等が設けられている。
【００４７】
ガラス基板１１及び１２の厚さは、例えば、０．５ｍｍである。また、ガラス基板（ＴＦＴ基板）１１には取り出し電極等が形成されているので、ガラス基板１１の方がガラス基板（封止基板）１２よりも大きい。
【００４８】
ガラス基板１１の外面には、アルミシート等の放熱シート５０が貼り付けられている。表示パネル１０をシャーシ２０に取り付けたときに、放熱シート７０はシャーシ２０の内面に接触する。これにより、表示パネル１０で発生する熱をシャーシ２０に効率良く伝導させることができる。また、ガラス基板１２の外面には、反射防止フィルム（ＡＲフィルム）８０が貼り付けられている。
【００４９】
シャーシ２０には、第１保持部材３１及び第２保持部材３２が取り付けられる位置にネジ穴２０ａが設けられている。ネジ穴２０ａには、第１保持部材３１及び第２保持部材３２を挿通したネジ４０の軸がねじ込まれるネジ穴２０ａが設けられている。具体的には、ネジ穴２０ａの内面には、ねじ（めねじ）が切ってある。
【００５０】
本実施の形態において、ネジ穴２０ａは、シャーシ２０を貫通する貫通孔として形成されているが、貫通しない凹状のネジ穴であってもよい。つまり、ネジ穴２０ａはネジ穴である。また、本実施の形態において、シャーシ２０には、１つの第１保持部材３１及び１つの第２保持部材３２に対して、複数個のネジ穴２０ａが設けられている。
【００５１】
第１保持部材３１は、表示パネル１０をシャーシ２０に取り付けたときに、表示パネル１０の短辺の端部のみに当接するように構成されている。具体的には、第１保持部材３１は、図４の（ａ１）及び（ｂ１）に示すように、シャーシ２０に取り付けられる板状の取付部３１１と、表示パネル１０を保持する際に当該表示パネル１０の短辺の端部に当接する当接部３１２とを有する。
【００５２】
取付部３１１は、シャーシ２０の表示パネル１０が取り付けられる面とは反対側の面に面接触で接触している。また、当接部３１２は、板状であり、シャーシ２０を越えて突出するように取付部３１１から立設している。本実施の形態において、取付部３１１と当接部３１２とは略直角に接続されており、第１保持部材３１の断面形状は略Ｌ字形状である。このように、第１保持部材３１は、当接部３１２の爪構造によって表示パネル１０を保持している。
【００５３】
取付部３１１には、ネジ４０の軸が挿通される挿通孔（貫通孔）３１１ａが設けられている。挿通孔３１１ａは、シャーシ２０のネジ穴２０ａに対応する位置に設けられている。本実施の形態では、取付部３１１には、複数個の挿通孔３１１ａが設けられており、複数の挿通孔３１１ａの各々は、平面視において、シャーシ２０の複数のネジ穴２０ａの各々と重なる位置に設けられている。挿通孔３１１ａとネジ穴２０ａとは１対１に対応している。
【００５４】
また、第１保持部材３１を摺動可能とするために、挿通孔３１１ａの開口の大きさはネジ４０の軸の径よりも大きくしている。つまり、挿通孔３１１ａとネジ４０の軸とは遊嵌するように構成されており、ネジ４０の軸が挿通孔３１１ａの開口内を移動できる範囲内が第１保持部材３１の可動領域である。このように、本実施の形態では、第１保持部材３１の可動領域が挿通孔３１１ａの開口領域によって設定されている。
【００５５】
本実施の形態において、挿通孔３１１ａは、表示パネル１０及びシャーシ２０の湾曲方向が他の方向に対して相対的に長い長穴としている。つまり、挿通孔３１１ａは、第１保持部材３１の摺動方向に長尺状となるように形成されている。挿通孔３１１ａの開口形状は、例えば、レーストラック形状である。
【００５６】
また、取付部３１１には、ネジ４０のネジ頭の高さよりも高い突出部３１３が設けられている。突出部３１３の上面は平面となっている。言い換えると、ネジ４０のネジ頭が存在する領域周辺が凹むように、取付部３１１の厚みを薄くしている。これにより、ネジ４０のネジ頭の高さよりも突出部３１３が高くなるので、ネジ４０のネジ頭が飛び出すことを防止できる。
【００５７】
なお、第１保持部材３１には、ベゼル５０をネジ止めするためのベゼル孔３１４が設けられている。
【００５８】
一方、第２保持部材３２は、表示パネル１０をシャーシ２０に取り付けたときに、表示パネル１０の短辺の端部だけではなく長辺の端部にも当接するように構成されている。具体的には、第２保持部材３２は、図５の（ａ１）及び（ｂ１）に示すように、シャーシ２０に取り付けられる板状の取付部３２１と、表示パネル１０を保持する際に当該表示パネル１０の短辺の端部に当接する第１当接部３２２と、表示パネル１０の長辺の端部に当接する第２当接部３２３とを有する。
【００５９】
取付部３２１は、シャーシ２０の表示パネル１０が取り付けられる面とは反対側の面に面接触で接触している。また、第１当接部３２２及び第２当接部３２３の各々は、板状であり、シャーシ２０を越えて突出するように取付部３２１から立設している。本実施の形態において、取付部３２１と第１当接部３２２及び第２当接部３２３とは略直角に接続されている。また、第１当接部３２２と第２当接部３２３とは主面同士が略直交するように設けられている。第２保持部材３２は、第１当接部３２２及び第２当接部３２３の爪構造によって表示パネル１０を保持している。
【００６０】
取付部３２１には、ネジ４０の軸が挿通される挿通孔（貫通孔）３２１ａが設けられている。本実施の形態では、取付部３２１には、複数個の挿通孔３２１ａが設けられており、複数の挿通孔３２１ａの各々は、平面視において、シャーシ２０の複数のネジ穴２０ａの各々と重なる位置に設けられている。
【００６１】
また、第２保持部材３２を摺動可能とするために、挿通孔３２１ａの開口の大きさはネジ４０の軸の径よりも大きくしている。つまり、挿通孔３２１ａとネジ４０の軸とは遊嵌するように構成されており、ネジ４０の軸が挿通孔３２１ａの開口内を移動できる範囲内が第２保持部材３２の可動領域である。このように、第２保持部材３２についても、その可動領域は、挿通孔３２１ａの開口領域によって設定されている。
【００６２】
本実施の形態において、挿通孔３２１ａは、表示パネル１０及びシャーシ２０の湾曲方向が他の方向に対して相対的に長い長穴としている。つまり、挿通孔３２１ａは、第２保持部材３２の摺動方向に長尺状となるように形成されている。挿通孔３２１ａの開口形状は、挿通孔３１１ａと同様に、レーストラック形状である。
【００６３】
また、第１保持部材３１と同様に、取付部３２１には、ネジ４０のネジ頭の高さよりも高い第１突出部３２４及び第２突出部３２５が設けられている。これにより、ネジ４０のネジ頭が飛び出すことを防止できる。なお、第１突出部３２４及び第２突出部３２５の上面は平面である。
【００６４】
なお、第２保持部材３２には、ベゼル５０をネジ止めするためのベゼル孔３２６が設けられている。
【００６５】
このように構成される第１保持部材３１及び第２保持部材３２の各々は、２つのネジ４０によってシャーシ２０に取り付けられる。
【００６６】
この場合、第１保持部材３１については、挿通孔３１１ａとネジ穴２０ａとが対応するように第１保持部材３１をシャーシ２０に載置して、ネジ４０の軸を挿通孔３１１ａに挿通させるとともにネジ穴２０ａにねじ込む。また、第２保持部材３２についても同様に、挿通孔３２１ａとネジ穴２０ａとが対応するように第２保持部材３２をシャーシ２０に載置して、ネジ４０の軸を挿通孔３２１ａに挿通させるとともにネジ穴２０ａにねじ込む。
【００６７】
次に、本実施の形態における表示装置１の組み立て方法において、表示パネル１０のシャーシ２０への取付方法について説明する。なお、第１保持部材３１については図４を用いて、第２保持部材３２については図５を用いて説明する。
【００６８】
上述の図３（ａ）〜図３（ｃ）のように、表示パネル１０に曲げ応力を付与して、表示パネル１０をシャーシ２０の湾曲形状に追従するように湾曲させた後、一旦、表示パネル１０の押し込みを中断し、図４の（ａ１）及び（ａ２）に示すように、第１保持部材３１における２つのネジ４０を緩める。これにより、ネジ４０のネジ頭と第１保持部材３１の取付部３１１との間に隙間ができるので、第１保持部材３１は可動状態となる。
【００６９】
第２保持部材３２についても同様に、図５の（ａ１）及び（ａ２）に示すように、２つのネジ４０を緩めることで、第２保持部材３２は可動状態となる。
【００７０】
なお、第１保持部材３１及び第２保持部材３２は、シャーシ２０の湾曲方向の両端部の各々に取り付けられているが、シャーシ２０の一方の端部の第１保持部材３１及び第２保持部材３２におけるネジ４０のみを緩めればよい。したがって、シャーシ２０の他方の端部の第１保持部材３１及び第２保持部材３２についてはネジ４０を緩めることなくシャーシ２０に固定されたままの状態でよい。
【００７１】
次に、図４の（ａ２）及び（ｂ２）に示すように、第１保持部材３１をシャーシ２０の外方向に向かって湾曲方向に沿って摺動させるとともに、図５の（ａ２）及び（ｂ２）に示すように、第２保持部材３２をシャーシ２０の外方向に向かって湾曲方向に沿って摺動させる。
【００７２】
このとき、第１保持部材３１の当接部３１２が表示パネル１０の端部よりも外側に位置するまで第１保持部材３１をスライドさせる。第２保持部材３２についても同様に、第１当接部３２２が表示パネル１０の端部よりも外側に位置するまでスライドさせる。本実施の形態では、ネジ４０の軸が挿通孔３１１ａ（３２１ａ）の内面に当接するまでスライドさせている。
【００７３】
その後、表示パネル１０の端部がシャーシ２０に最接近するまで表示パネル１０をシャーシ２０に向けて押し込む。これにより、表示パネル１０全体が、シャーシ２０の内面形状に沿った形状で湾曲する。
【００７４】
次に、図４の（ａ３）及び（ｂ３）に示すように、第１保持部材３１をシャーシ２０の内方向に向かって湾曲方向に沿って摺動させるとともに、図５の（ａ３）及び（ｂ３）に示すように、第２保持部材３２をシャーシ２０の内方向に向かって湾曲方向に沿って摺動させる。
【００７５】
このとき、第１保持部材３１については、当接部３１２が表示パネル１０の端部（短辺の端部）に当接するまで摺動させる。第２保持部材３２についても同様に、第１当接部３２２が表示パネル１０の端部（短辺の端部）に当接するまで摺動させる。これにより、第１保持部材３１及び第２保持部材３２を外方向に摺動させたことによって生じる第１保持部材３１及び第２保持部材３２と表示パネル１０との間の隙間を無くすことができる。なお、第２保持部材３２を表示パネルの端部に当接させる際、第２当接部３２３は表示パネル１０の長辺の端部に当接させる。
【００７６】
次に、図４の（ａ４）及び（ｂ４）に示すように、ネジ４０を締め付けることによって第１保持部材３１をシャーシ２０に固定するとともに、図５の（ａ４）及び（ｂ４）に示すように、ネジ４０を締め付けることによって第２保持部材３２をシャーシ２０に固定する。
【００７７】
これにより、表示パネル１０は、湾曲したままの状態でシャーシ２０に押さえつけられて、対向する一対の第１保持部材３１及び対向する二対の第２保持部材３２によって挟持される。このようにして、表示パネル１０は、第１保持部材３１及び第２保持部材３２によって位置決めがなされるとともに、第１保持部材３１及び第２保持部材３２に保持される。
【００７８】
このとき、シャーシ２０及び表示パネル１０は湾曲しているので、第１保持部材３１の当接部３１２及び第２保持部材３２の第１当接部３２２は、表示パネル１０の端部の斜め下方に潜り込む位置で表示パネル１０の端部に当接している。つまり、表示パネル１０の端部の鉛直方向の直下には、第１保持部材３１の当接部３１２及び第２保持部材３２の第１当接部３２２が存在する。これにより、表示パネル１０の端部は第１保持部材３１の当接部３１２及び第２保持部材３２の第１当接部３２２によって支持されることになる。
【００７９】
したがって、表示パネル１０とシャーシ２０との間に接着剤や粘着シートを挿入することなく表示パネル１０を保持することができる。なお、本実施の形態では、表示パネル１０の端部は第２保持部材３２の第２当接部３２３によっても支持されている。
【００８０】
以上、本実施の形態に係る表示装置１によれば、表示パネル１０を保持する保持部材３０が、摺動可能にシャーシ２０に取り付けられている。
【００８１】
これにより、表示パネル１０を湾曲させて湾曲形状のシャーシ２０に取り付ける際、保持部材３０を摺動させることができるので、保持部材３０と表示パネル１０との衝突を回避することができる。したがって、表示パネル１０を湾曲形状のシャーシ２０に容易に取り付けることができる。
【００８２】
さらに、保持部材３０が摺動可能にシャーシ２０に取り付けられているので、表示パネル１０を簡単にシャーシ２０から取り外すこともできる。例えば、表示パネル１０を交換する際、保持部材３０を摺動させて表示パネル１０の保持状態を解消することで、表示パネル１０を簡単にシャーシ２０から取り外すことができる。
【００８３】
また、本実施の形態において、保持部材３０とシャーシ２０とは、締結部材であるネジ４０によって固定されており、保持部材３０は、ネジ４０を緩めることで摺動可能としている。
【００８４】
これにより、簡単な構成で、シャーシ２０に対して保持部材３０を可動させたり固定したりすることができる。
【００８５】
また、本実施の形態において、第１保持部材３１については、湾曲させた表示パネル１０の端部に当接する当接部３１２が、シャーシ２０の表示パネル１０が取り付けられる面とは反対側の面に接触する取付部３１１から立設している。同様に、第２保持部材３２については、湾曲させた表示パネル１０の端部に当接する第１当接部３２２が取付部３２１から立設している。
【００８６】
これにより、表示パネル１０の端部は第１保持部材３１の当接部３１２及び第２保持部材３２の第１当接部３２２によって支持されるので、表示パネル１０とシャーシ２０との間に接着剤や粘着シートを挿入することなく表示パネル１０を保持することができる。したがって、表示パネル１０をシャーシ２０に簡単に取り付けることができるとともに、表示パネル１０の熱を効率良くシャーシ２０に伝導させることができる。また、低コスト化を図ることもできる。
【００８７】
また、本実施の形態において、第１保持部材３１の取付部３１１及び第２保持部材３２の取付部３２１には、ネジ４０の軸が挿通される挿通孔３１１ａ及び３２１ａが設けられており、シャーシ２０には、ネジ４０の軸が挿入されるネジ穴２０ａが設けられている。
【００８８】
これにより、ネジ４０をシャーシ２０にねじ込むことで第１保持部材３１及び第２保持部材３２をシャーシ２０に固定することができる。したがって、簡単な構成で、保持部材３０の可動と非可動とを切り替えることができる。
【００８９】
また、本実施の形態において、第１保持部材３１及び第２保持部材３２の各々は、複数のネジ４０によってシャーシ２０に取り付けられている。具体的には、１つの第１保持部材３１及び１つの第２保持部材３２に対して、各々２つのネジ４０を用いている。また、ネジ４０の本数に合わせて、取付部３１１及び３２１には挿通孔３１１ａ及び３２１ａが複数設けられており、シャーシ２０には複数のネジ穴２０ａが設けられている。
【００９０】
このように、保持部材３０（第１保持部材３１、第２保持部材３２）を複数のネジ４０によってシャーシ２０に取り付けることで、保持部材３０の回転を防止することができる。つまり、ネジ４０を緩めたときにネジ４０が１本であると、保持部材３０がネジ４０を中心とする回転方向に動いてしまうことがあるが、ネジ４０を複数本用いることによって、保持部材３０の回転方向の動きを規制することができる。
【００９１】
また、本実施の形態において、保持部材３０（第１保持部材３１、第２保持部材３２）における挿通孔３１１ａ及び３２１ａは、保持部材３０の摺動方向が他の方向に対して相対的に長い長穴となっている。
【００９２】
これにより、挿通孔３１１ａ及び３２１ａの長穴の長手方向に沿って保持部材３０を摺動させることができる。
【００９３】
また、本実施の形態において、保持部材３０（第１保持部材３１、第２保持部材３２）における取付部３１１及び３２１には、ネジ４０のネジ頭の高さよりも高い突出部３１３と第１突出部３２４と第２突出部３２５とが設けられている。
【００９４】
これにより、ネジ４０のネジ頭が飛び出すことを防止できるので、バックカバー６０等の部材がネジ４０に接触することを回避できる。したがって、ネジ４０が意図せずに緩んだり、バックカバー６０等の部材が破損したりすることを防止できる。
【００９５】
（変形例等）
以上、実施の形態に基づいて表示装置の一態様を説明したが、本開示は、これらの実施の形態に限定されるものではない。
【００９６】
例えば、フラットな表示パネル１０を基準に、湾曲形状のシャーシ２０を沿わせて組込む、という方法を挙げることもできる。
【００９７】
また、上記実施の形態では、表示パネル１０の基板として薄いガラス基板を用いたが、ガラス基板ではなく、可撓性を有する樹脂製等のフレキシブル基板を用いてもよい。
【００９８】
また、上記実施の形態において、保持部材３０（第１保持部材３１、第２保持部材３２）はネジ４０によってシャーシ２０に取り付けられているが、これに限らない。例えば、締め付けることと緩めることができれば、ボルト及びナット等のその他の締結部材を用いても構わない。さらに、保持部材３０の可動状態と非可動状態とを切り替えることができれば、締結部材以外の部材によって保持部材３０をシャーシ２０に取り付けても構わない。
【００９９】
また、上記実施の形態において、挿通孔３１１ａ及び３２１ａの開口形状はレーストラック形状としたが、これに限らない。例えば、挿通孔３１１ａ及び３２１ａの開口形状は、長円形、楕円形又は長方形等としてもよい。
【０１００】
また、上記実施の形態において、ネジ４０のネジ頭が飛び出すことを防止するために、突出部３１３及び３２４を設けたが、突出部３１３及び３２４の代わりに、取付部３１１及び３２１に、ネジ４０のネジ頭を収納する凹部（ザグリ部）を設けてもよい。
【０１０１】
また、上記実施の形態では、シャーシ２０に表示パネル１０を取り付ける際、シャーシ２０の長手方向の両端部の第１保持部材３１及び第２保持部材３２のうち、一方の端部のみの第１保持部材３１及び第２保持部材３２を摺動させたが、両方の端部の第１保持部材３１及び第２保持部材３２を摺動させてもよい。
【０１０２】
また、上記実施の形態において、表示装置はテレビ受信機であるとしたが、これに限らない。表示装置としては、外部から入力される映像を表示するモニタディスプレイ、広告媒体として使用されるデジタルサイネージ、又は、タッチパネルによってユーザの操作を受け付ける携帯端末、タブレット端末若しくはテーブル型表示装置等であってもよい。
【０１０３】
その他、各実施の形態及び変形例に対して当業者が思いつく各種変形を施して得られる形態、又は、本開示の趣旨を逸脱しない範囲で各実施の形態及び変形例における構成要素及び機能を任意に組み合わせることで実現される形態も本開示に含まれる。
【産業上の利用可能性】
【０１０４】
本開示は、例えば薄型化が要求される表示装置に有用であり、テレビ受信機、モニタディスプレイ、デジタルサイネージ、携帯端末、タブレット端末、又は、テーブル型表示装置等の電子機器に適用できる。
【符号の説明】
【０１０５】
１  表示装置
１０  表示パネル
２０  シャーシ
２０ａ  ネジ穴
３０  保持部材
３１  第１保持部材
３２  第２保持部材
４０  ネジ
５０  ベゼル
６０  バックカバー
７０  放熱シート
８０  反射防止フィルム
３１１、３２１  取付部
３１１ａ、３２１ａ  挿通孔
３１２  当接部
３１３  突出部
３１４、３２６  ベゼル孔
３２２  第１当接部
３２３  第２当接部
３２４  第１突出部
３２５  第２突出部
【図１】
2015087518.tif 000003
【図２】
2015087518.tif 000004
【図３】
2015087518.tif 000005
【図４】
2015087518.tif 000006
【図５】
2015087518.tif 000007
【国際調査報告】
2015087518.tif 000008
2015087518.tif 000009
2015087518.tif 000010
2015087518.tif 000011